(57)【特許請求の範囲】
【請求項１】
略円筒形状からなる本体部と、
前記本体部に対して所定方向に移動可能な移動部と、
前記本体部の一端に設けられ、前記本体部を径方向外方に屈曲させることにより錘を保持する錘保持部と、
前記錘保持部と隣接し、前記錘保持部に連通する溝と、前記溝に連通する拡径部と、が形成され、前記溝及び前記拡径部に第１釣針を固定する第１釣針固定部と、
前記錘保持部及び前記第１釣針固定部に対して前記所定方向に直線的に移動可能であって、前記移動部の先端に設けられ、前記所定方向に延びる先端溝と、前記先端溝の底に位置し拡径した先端拡径部と、が形成され、前記先端溝及び前記先端拡径部に第２釣針を固定する第２釣針固定部と、
前記第２釣針固定部の前記錘保持部及び前記第１釣針固定部に対する移動であって、前記移動部の前記本体部に対する移動を固定する固定部と、を有することを特徴とする仕掛け保持具。
【請求項２】
前記移動部に設けられ、前記移動部を覆うカバー部と、前記カバー部と螺合するネジ部と、を有し、前記所定方向において前記ネジ部と前記カバー部との螺合を緩めることにより前記第１釣針固定部と前記第２釣針固定部との間に配置され前記所定方向に移動可能であって、前記ネジ部に第３釣針を固定する第３釣針固定部をさらに有し、
前記第３釣針固定部は、前記錘保持部、前記第１釣針固定部、及び前記第２釣針固定部に対して前記所定方向に移動可能であることを特徴とする請求項１に記載の仕掛け保持具。
【請求項３】
前記錘保持部は、前記錘を少なくとも３か所で支えることを特徴とする請求項１又は２に記載の仕掛け保持具。
【請求項４】
前記錘保持部と、前記第１釣針固定部と、前記第２釣針固定部と、は前記所定方向に並んで配置されていることを特徴とする請求項１から３のいずれか１項に記載の仕掛け保持具。
【発明の詳細な説明】
【技術分野】
【０００１】
本発明は、釣りの仕掛けを保持する仕掛け保持具に関するものである。
【背景技術】
【０００２】
従来から、複数の釣針が設けられた魚釣り用の仕掛けを収容する道具が知られている。特許文献１に記載の釣り用仕掛け巻き具は、中空の筒状体に設けられたスリットの端部にハリス掛けを設け、当該ハリス掛けに針を引掛けている。仕掛けの末端は、輪ゴムで筒状体に係止されている。仕掛けに複数の釣針が設けられていても、それらの釣針はスリット内に収容されるため、釣針が外部に露出せずに安全である。
【０００３】
特許文献２に記載の仕掛け巻きでは、針掛け部に複数の針を引掛けて固定し、糸掛け部に糸を掛けることで、仕掛けの糸を巻き取っている。針掛け部と糸掛け部とはバネによって互いに離反する方向に負勢されているため、常に糸に張力がかかっている状態となり、仕掛けのゆるみを防止できる。仕掛けの端部は、糸を切り込みに引掛けることで固定される。
【先行技術文献】
【特許文献】
【０００４】
【特許文献１】特開平１０−２１５７４７号公報
【特許文献２】特開２００６−３２０２２８号公報
【発明の概要】
【発明が解決しようとする課題】
【０００５】
しかし、特許文献１に記載の釣り用仕掛け巻き具では、細い溝に糸及び釣針を収容しているため、大きな錘などが設けられている仕掛けを巻き取ることはできなかった。また、端部を輪ゴムで筒状体に係止させていたため、輪ゴムが劣化すると仕掛けが釣り用仕掛け巻き具から離脱してしまった。錘を有する仕掛けを巻く場合は、溝に挿入できるサイズの錘を有する仕掛けしか巻き取ることができなかった。
【０００６】
特許文献２に記載の仕掛け巻きでは、錘を有する仕掛けを巻いた場合には、錘の重さがバネの負勢力に勝って仕掛けが緩んでいた。錘の重さで仕掛けが緩むことにより、糸のヨレやカラミなどの問題が起きていた。また、仕掛けの端部は切り込みに引掛けられているため、錘の重さによって外れてしまうことがあった。
【０００７】
そこで、本発明では、錘と複数の釣針を備えた仕掛けを緩むことなく保持する仕掛け保持具を提供することを目的とする。
【課題を解決するための手段】
【０００８】
上記課題を解決するために本発明は、略円筒形状からなる本体部と、前記本体部に対して所定方向に移動可能な移動部と、前記本体部の一端に設けられ、前記本体部を径方向外方に屈曲させることにより錘を保持する錘保持部と、前記錘保持部と隣接し、前記錘保持部に連通する溝と、前記溝に連通する拡径部と、が形成され、前記溝及び前記拡径部に第１釣針を固定する第１釣針固定部と、前記錘保持部及び前記第１釣針固定部に対して前記所定方向に直線的に移動可能であって、前記移動部の先端に設けられ、前記所定方向に延びる先端溝と、前記先端溝の底に位置し拡径した先端拡径部と、が形成され、前記先端溝及び前記先端拡径部に第２釣針を固定する第２釣針固定部と、前記第２釣針固定部の前記錘保持部及び前記第１釣針固定部に対する移動であって、前記移動部の前記本体部に対する移動を固定する固定部と、を有することを特徴とする仕掛け保持具。
【０００９】
このような構成によると、錘保持部が錘を保持するとともに第２釣針固定部が錘保持部及び第１釣針固定部に対して直線的に移動可能であるため、第１釣針と第２釣針の間の糸を直線状に張ることができる。固定部で第２釣針固定部の錘保持部に対する移動を固定することにより、糸が張った状態を維持することができる。これにより、第１釣針と第２釣針との間の糸を張った状態で維持でき、仕掛けを運ぶ際に糸が緩んで糸同士が絡んだり、糸が他の部品と擦れて劣化したりすることを防止できる。特に、錘を有する仕掛けは錘が揺れることで仕掛けが緩みやすいが、本発明においては錘保持部が錘を保持しているため、錘を備えた仕掛けであっても糸緩みを防止することができる。本発明は、錘と第１釣針とが隣接していて、第１釣針と第２釣針とが糸で繋がれているようなカットウ釣りの仕掛けに適している。
【００１０】
また、前記移動部に設けられ、前記移動部を覆うカバー部と、前記カバー部と螺合するネジ部と、を有し、前記所定方向において前記ネジ部と前記カバー部との螺合を緩めることにより前記第１釣針固定部と前記第２釣針固定部との間に配置され前記所定方向に移動可能であって、前記ネジ部に第３釣針を固定する第３釣針固定部をさらに有し、前記第３釣針固定部は、前記錘保持部、前記第１釣針固定部、及び前記第２釣針固定部に対して前記所定方向に移動可能であることが好ましい。
【００１１】
このような構成によると、第１釣針固定部に対して第２釣針固定部が所定方向に移動可能であり、第１釣針固定部に対して第３釣針固定部が所定方向に移動可能であり、第２釣針固定部に対して第３釣針固定部が所定方向に移動可能であるため、第１釣針と第２釣針と第３釣針との間の糸を緩ませることなく仕掛けを保持することができる。特に、第３釣針を備えたいわゆる房総半島で使用される形式のカットウ釣りの仕掛けも糸を緩ませることなく保持することができる。
【００１２】
また、前記錘保持部は、前記錘を少なくとも３か所で支えることが好ましい。
【００１３】
このような構成によると、錘保持部が錘を少なくとも３か所で支えているため、錘が仕掛け保持具から離脱することを抑制することができる。
【００１４】
また、前記錘保持部と、前記第１釣針固定部と、前記第２釣針固定部とは、前記所定方向に並んで配置されていることが好ましい。
【００１５】
このような構成によると、錘保持部と、第１釣針固定部と、第２釣針固定部と、は所定方向に並んで配置されているため、仕掛けを直線状に保持することができる。これにより、糸を巻く仕掛け巻きと比較して、糸の折れ癖や糸擦れによる劣化を防止できる。
【００１７】
このような構成によると、第２釣針固定部の溝の底が拡径しているため、仕掛け保持具に仕掛けを保持する際、拡径した部分に第２釣針と第１釣針の間の糸を通して第２釣針固定部を所定方向に移動させることにより第２釣針と第１釣針との間の糸を張って固定部で糸の張った状態を維持できる。これにより、簡単に仕掛け保持具に仕掛けを保持することができる。特に、カットウ釣りの仕掛けでは第２釣針は３又針であることが多いため、溝の底の拡径している箇所で確実に第２釣針を保持することができる。
【００１９】
このような構成によると、第１釣針固定部の溝の底が拡径しているため、溝に糸が引っ掛かって糸が切れたり擦れて劣化したりすることを防止できる。
【発明の効果】
【００２０】
本発明によると、錘と複数の釣針を備えた仕掛けを緩むことなく保持する仕掛け保持具を提供することができる。
【図面の簡単な説明】
【００２１】
【図１】本発明の第１の実施の形態の仕掛け保持具の斜視図。
【図２】本発明の第１の実施の形態の仕掛け保持具の固定部の部分拡大図。
【図３】本発明の第１の実施の形態の仕掛け保持具の仕掛けを保持した状態を示す斜視図。
【図４】本発明の第２の実施の形態の仕掛け保持具の斜視図。
【図５】本発明の第２の実施の形態の第３釣針固定部の部分拡大図。
【図６】本発明の変形例を示す斜視図。
【発明を実施するための形態】
【００２２】
本発明の実施の形態の仕掛け保持具１を、図１乃至図３に基づいて説明する。以下の記載において、平行、直交とは、完全に平行、直交ではなく略平行、略直交を含む概念である。
【００２３】
図１に示すように、仕掛け保持具１は、本体部２と、移動部３と、から構成されている。移動部３は、本体部２に挿入されることにより本体部２に対して移動方向Ｍ（軸方向）に直線的に移動可能であり、移動部３と本体部２とは離脱可能である。以下、単に軸方向、径方向、円周方向という場合は、本体部２及び移動部３に対する軸方向、径方向、円周方向をいう。移動方向Ｍは、所定方向の一例である。
【００２４】
本実施の形態では、本体部２及び移動部３は錆に強くて軽量なアルミパイプを用いている。本体部２の長さは約１５ｃｍであり移動部３の長さも約１５ｃｍである。本体部２は略円筒形状をなし、錘保持部４と、第１釣針固定部５と、固定部６と、を有している。錘保持部４は、第１保持部４１と、第２保持部４２と、第３保持部４３とから構成される。第１保持部４１、第２保持部４２、第３保持部４３は、円筒形状の本体部２を切断・加工し径方向外方に屈曲させることにより形成される。それぞれの切断面は、すべて面取りされており、バリや返しなどが除去されている。
【００２５】
第１保持部４１と、第２保持部４２と、第３保持部４３とは、円周方向の長さが略同一であって、第１保持部４１の軸方向の長さは第２保持部４２及び第３保持部４３よりも長い。第１保持部４１は、錘保持部４に保持される錘１１（図３）の形状に沿うように径方向外方に屈曲するとともに円弧形状をなしている。
【００２６】
第２保持部４２及び第３保持部４３は、略同一形状であって径方向外方に屈曲している。第２保持部４２及び第３保持部４３は、先端に行くにつれて細くなっている。第１保持部４１と、第２保持部４２と、第３保持部４３とは、軸方向視において、それぞれの先端の間隔が約１２０°になるように折り曲げられている。
【００２７】
第１釣針固定部５は、第２保持部４２と第３保持部４３との間に形成された溝５１であって、溝５１には第１拡径部５２と第２拡径部５３が形成されている。溝５１は、本体部２の軸方向の長さの約１／３程度の長さを有している。第１拡径部５２は、第２保持部４２と第３保持部４３の根元部分に形成された略円形状の貫通孔である。第２拡径部５３は、溝５１の最奥部（底）に形成された略円形状の貫通孔である。第１拡径部５２と第２拡径部５３とは、略同一形状である。溝５１、第１拡径部５２、第２拡径部５３の角は、糸の引掛りを防止するためにすべて面取りされている。
【００２８】
図２に示すように、固定部６は、つまみ６１と、ネジ部６２と、カバー部６３とから構成されている。つまみ６１は、略薄円板形状であって、周縁に滑り止めの凹凸が設けられている。つまみ６１の下面中央からは、下方にネジ部６２が延びている。ネジ部６２には、雄ネジが形成されている。カバー部６３は、本体部２の外形よりも僅かに大きな内径を有する円筒形状をなし、ネジ部６２と螺合する第１ネジ孔６３ａが形成されている。第１ネジ孔６３ａには、ネジ部６２と螺合する雌ネジが形成されている。本発明の実施の形態では、つまみ６１、ネジ部６２、カバー部６３は錆に強く丈夫なアクリルを用いている。図２において、カバー部６３は透明であるため、第２ネジ孔２ａ及び本体部２は外から透けている。
【００２９】
本体部２であってカバー部６３の内部に位置する部分には、円周方向に複数の第２ネジ孔２ａが形成されている。各第２ネジ孔２ａには、つまみ６１と螺合する雌ネジが形成されている。ネジ部６２が第１ネジ孔６３ａと螺合していて第２ネジ孔２ａと螺合していない状態のときには、カバー部６３は本体部２に対して円周方向及び軸方向に移動可能である。このとき、つまみ６１を任意の第２ネジ孔２ａに螺合させることにより、つまみ６１の円周方向の位置を変更できる。例えば、図１と図３とを比較すると、つまみ６１の位置が本体部２に対して１８０°回転した位置にある。図３のように仕掛けを保持する際はつまみ６１が糸と干渉する可能性があるため、つまみ６１を図３のような位置に配置することが好ましい。
【００３０】
ネジ部６２の底面は、移動部３に当接可能である。ネジ部６２の底面が移動部３の表面に当接することにより移動部３の本体部２に対する移動が固定される。
【００３１】
図１に示すように、移動部３は略円筒形状をなし、その先端には第２釣針固定部７が設けられている。第２釣針固定部７は、斜めに屈曲していて先端から移動方向Ｍに向けて先端溝７ａが形成されている。先端溝７ａの底（最奥部）には、溝の幅が広がっている第３拡径部７ｂが形成されている。第３拡径部７ｂは、略円形状の貫通孔である。第２釣針固定部７は、移動部３の先端を潰して折り曲げ、溝を形成することにより作成される。先端溝７ａ及び第３拡径部７ｂの角は、糸の引掛り防止のためすべて面取りされている。錘保持部４と、第１釣針固定部５と、第２釣針固定部７とは、移動方向Ｍに並んで配置されている。
【００３２】
次に、仕掛け保持具１にカットウ釣りの仕掛けを保持する方法について説明する。図３に示すように、仕掛け１０は、錘１１と、第１釣針１２と、釣糸１３と、第２釣針１４と、から構成される。錘１１は、ナツメ型の錘であって先端に道糸を結ぶ糸掛け部１１Ａが設けられている。第１釣針１２は、錘１１と繋がっていて第２釣針１４は釣糸１３を介して錘１１と繋がっている。この形式の仕掛けは、カットウ釣りの中でも東京湾で使用されるタイプである。
【００３３】
錘１１を錘保持部４に固定して第１拡径部５２に第１釣針１２の根元にある図示せぬビーズを挿入する。第１釣針１２の根元にビーズを設けた場合であっても、第１拡径部５２があることによって第１釣針１２を第１釣針固定部５に固定できる。第１釣針１２の先端を第２拡径部５３に収納し固定する。つまみ６１を緩め、ネジ部６２と第２ネジ孔２ａとの螺合を解除して、ネジ部６２が第１ネジ孔６３ａのみに螺合した状態にする。つまみ６１が本体部２に対して円周方向に移動可能となるため、図１の状態から図３の状態まで固定部６を回転させる。次に、第３拡径部７ｂに釣糸１３を通して、移動方向Ｍに沿って移動部３を本体部２から離れる方向に移動させる。第２釣針１４が第３拡径部７ｂに引っ掛かって釣糸１３が十分に張った状態になったら、つまみ６１を締めてネジ部６２の底面と移動部３とを当接させ、移動部３を本体部２に対して固定する。これにより、釣糸１３が張った状態で仕掛け１０が仕掛け保持具１に保持される。
【００３４】
このような構成によると、錘保持部４が錘を保持するとともに第２釣針固定部７が錘保持部４及び第１釣針固定部５に対して直線的に移動可能であるため、第１釣針１２と第２釣針１４の間の釣糸１３を直線状に張ることができる。固定部６で第２釣針固定部７（移動部３）の移動を固定することにより、釣糸１３が張った状態を維持することができる。これにより、第１釣針１２と第２釣針１４との間の釣糸１３を張った状態で維持でき、仕掛け１０を運ぶ際に釣糸１３が緩んで糸同士が絡んだり、釣糸１３が他の部品と擦れて劣化したりすることを防止できる。特に、錘１１を有する仕掛け１０は錘１１が揺れることで仕掛け１０の釣糸１３が緩みやすいが、本発明においては錘保持部４が錘１１を保持しているため、錘１１を備えた仕掛け１０であっても糸緩みを防止することができる。本発明は、錘１１と第１釣針１２とが隣接していて、第１釣針１２と第２釣針１４とが釣糸１３で繋がれているようなカットウ釣りの仕掛けに適している。
【００３５】
このような構成によると、錘保持部４が錘１１を少なくとも３か所で支えているため、錘１１が仕掛け保持具１から離脱することを抑制することができる。
【００３６】
このような構成によると、錘保持部４と、第１釣針固定部５と、第２釣針固定部７と、は移動方向Ｍに並んで配置されているため、仕掛け１０を直線状に保持することができる。これにより、糸を巻く仕掛け巻きと比較して、糸の折れ癖や糸擦れによる劣化を防止できる。
【００３７】
このような構成によると、第２釣針固定部７の先端溝７ａの底が拡径し第３拡径部７ｂが形成されているため、仕掛け保持具１に仕掛け１０を保持する際、第３拡径部７ｂに第２釣針１４と第１釣針１２の間の釣糸１３を通して第２釣針固定部７を移動方向Ｍに移動させることにより第２釣針１４と第１釣針１２との間の釣糸１３を張って固定部６で糸の張った状態を維持できる。これにより、簡単に仕掛け保持具１に仕掛け１０を保持することができる。特に、カットウ釣りの仕掛けでは第２釣針１４は３又針であることが多いため、先端溝７ａの底の拡径している箇所である第３拡径部７ｂで確実に第２釣針１４を保持することができる。
【００３８】
このような構成によると、第１釣針固定部５の溝５１の底が拡径し第２拡径部５３が形成されているため、溝５１に糸が引っ掛かって糸が切れたり擦れて劣化したりすることを防止できる。
【００３９】
次に、第２の実施の形態について、図４に基づいて説明する。第１の実施の形態と同一の構成については、同一の符号を付し説明を省略する。第２の実施の形態の仕掛け保持具１０１では、移動部３に第３釣針固定部８が設けられている。第２の実施の形態では、移動部３の長さは２０ｃｍと第１の実施の形態よりも長い。さらに、第１釣針固定部５には、第１拡径部５２が形成されていない。第１釣針１２の根元にビーズ等が設けられていない場合には、第１拡径部５２はなくてもよい。
【００４０】
図５は、第３釣針固定部８周辺の部分断面図である。第３釣針固定部８は、つまみ８１と、ネジ部８２と、カバー部８３と、カラー８４とから構成されている。第３釣針固定部８は、移動部３に対して移動方向Ｍに移動可能である。つまり、第３釣針固定部８は、錘保持部４及び第１釣針固定部５に対しても移動方向Ｍに移動可能である。錘保持部４と、第１釣針固定部５と、第２釣針固定部７と、第３釣針固定部８とは、移動方向Ｍに並んで配置されている。
【００４１】
つまみ８１と、ネジ部８２と、カバー部８３の構成は、つまみ６１、ネジ部６２、カバー部６３と略同一である。カバー部８３には、第３ネジ孔８３ａが形成されている。第３ネジ孔８３ａには、ネジ部８２と螺合する雌ネジが形成されている。カラー８４は、カバー部８３と移動部３との間に挿入されていて、第４ネジ孔８４ａが形成されている。第４ネジ孔８４ａには、ネジ部８２と螺合する雌ネジが形成されている。カラー８４をカバー部８３と移動部３との間に挿入することにより、ネジ部８２が螺合する雌ネジの距離を長くすることができ、つまみ８１がカバー部８３から離脱することを防止できる。つまみ８１を締めることにより、ネジ部８２の底面と移動部３とが当接して第３釣針固定部８の移動方向Ｍへの移動が固定される。
【００４２】
次に、仕掛け保持具１０１に仕掛けを保持する方法について説明する。仕掛け保持具１０１に保持する仕掛けは、第１釣針１２と第２釣針１４の間に第３釣針が設けられている。この形式の仕掛けは、カットウ釣りの中でも房総・鹿島沖で使用されるタイプである。
【００４３】
第１の実施の形態と同様に、第１釣針１２と第２釣針１４とをそれぞれ第１釣針固定部５と第２釣針固定部７とに固定する。第３釣針をネジ部８２に引掛けてつまみ８１を緩めて第３釣針固定部８を移動方向Ｍに移動可能にする。第３釣針の枝糸が張ったらつまみ８１を締める。
【００４４】
このような構成によると、第１釣針固定部５に対して第２釣針固定部７が移動方向Ｍに移動可能であり、第１釣針固定部５に対して第３釣針固定部８が移動方向Ｍに移動可能であり、第２釣針固定部７に対して第３釣針固定部８が移動方向Ｍに移動可能であるため、第１釣針と第２釣針と第３釣針との間の糸を緩ませることなく仕掛けを保持することができる。特に、第３釣針を備えたいわゆる房総半島で使用される形式のカットウ釣りの仕掛けも糸を緩ませることなく保持することができる。
【００４５】
本発明の実施の形態は、上述した実施の形態に限定されず、特許請求の範囲に記載された発明の要旨の範囲内で種々の変更が可能である。
【００４６】
上述の実施の形態では、仕掛け保持具１では１つの仕掛けのみ保持可能であったが、図６に示すように連結部９によって仕掛け保持具１を２つ連結させてもよい。この仕掛け保持具２０１では、第１釣針固定部５に第１釣針１２を固定してもよいが、連結部９に第１釣針１２を引掛けてもよい。詳細には、連結部９と本体部２との隙間に第１釣針１２の先端を挿入することにより固定する。それぞれの仕掛け保持具の間に所定長さのパイプ９１を挟んだ状態で連結部９によって保持することで、仕掛け保持具１同士の距離をある程度離間させたまま２つの仕掛け保持具１を連結することができる。これにより、仕掛け同士が互いに絡むことを防止する。２つの仕掛け保持具１０１を連結部９で連結させてもよい。
【００４７】
上述の実施の形態では、仕掛け保持具１が保持する仕掛けはカットウ釣りの仕掛けだったが、これに限定されない。錘と複数の釣針を備えた仕掛けであればよく、カワハギ仕掛けやカゴ釣りの仕掛けであってもよい。
【００４８】
上述の実施の形態では、錘１１としてナツメ型錘を用いたが、六角型、亀型、丸型、ナス型などのいずれの錘を用いてもよい。錘保持部４は、３つ又構造であって第１保持部４１と第２保持部４２と第３保持部４３の３点で錘１１を支持するため、いずれの形状の錘も確実に保持することができる。
【００４９】
上述の第２の実施の形態では、仕掛け保持具１０１は第３釣針固定部８をさらに有していたが、釣針固定部を３つ以上有する仕掛け保持具であってもよい。その場合には、移動部３に複数の釣針固定部を設けてもよく、本体部２に設けてもよい。このとき、移動部３を移動方向Ｍに移動させて移動部３を本体部２から離脱させ、移動部３に更なる釣針固定部を挿入してよい。
【００５０】
上述の第２の実施の形態では、第３釣針固定部８の形状は固定部６と略同一であったが、これに限定されない。カラー８４の移動方向Ｍの側面から第２釣針固定部７のような形状の突起部を設けてもよい。当該突起部には、第２釣針固定部７と同様に先端溝７ａ及び第３拡径部７ｂに対応する溝が形成されている。突起部に釣針を引掛けてカラーを移動方向Ｍに移動させることにより釣針を保持することができる。また、当該突起部は、カラーの一方の側面に設けられていてもよく、両方の側面に設けられていても良い。また、一方の側面に２つ以上の突起部が設けられていても良い。
【００５１】
上述の実施の形態では、錘保持部４は三つ又で第１保持部４１、第２保持部４２、第３保持部４３の３か所で錘１１を保持したが、４か所以上で保持してもよい。これにより、確実に錘を保持することができる。
【００５２】
上述の実施の形態では、第１釣針固定部５及び第２釣針固定部７で第１釣針１２及び第２釣針１４をそれぞれ固定したが、第１釣針１２及び第２釣針１４を保持してもよい。例えば、移動部３に溝を切った発泡体を設け、当該溝に第１釣針を挿入することにより第１釣針を固定してもよい。
【００５３】
上述の実施の形態では、本体部２と移動部３とは離脱可能だったが、本体部２が移動部３に対して移動方向Ｍに移動可能かつ離脱不能であってもよい。これによると、誤って本体部２と移動部３とが離脱することを防止できる。
【符号の説明】
【００５４】
１，１０１、２０１    仕掛け保持具
２    本体部
３    移動部
４    錘保持部
５    第１釣針固定部
６    固定部
７    第２釣針固定部
８    第３釣針固定部
９    連結部
１０  仕掛け
１１  錘
１２  第１釣針
１３  釣糸
１４  第２釣針
【図１】
0006384736.tif 000002
【図２】
0006384736.tif 000003
【図３】
0006384736.tif 000004
【図４】
0006384736.tif 000005
【図５】
0006384736.tif 000006
【図６】
0006384736.tif 000007